(57)【要約】【課題】クライアント信号を一括した無瞬断切替を実行する。【解決手段】送信端局１は、受信端局５に伝送すべきクライアント信号１０をＦＥＣフレームに収容し、そのＦＥＣフレームを光伝送路３および４に対して同時に送信するマッパ２を有している。受信端局５は、光伝送路３，４から受信される各々のＦＥＣフレームの遅延量を調節する可変遅延回路６，７と、可変遅延回路６，７から出力されたＦＥＣフレームのいずれかを選択的に切り替える選択回路８と、選択回路８から出力されたＦＥＣフレームからクライアント信号を抽出するデマッパ９とを有している。【選択図】　　　図１
2004015172.tif 000002
【特許請求の範囲】
【請求項１】
異なる２つの光伝送路に対して信号を送信する送信端局と、前記送信端局により前記２つの光伝送路に送信された信号を受信し、該信号のいずれかを選択的に切り替える受信端局とを有する無瞬断切替方式において、
前記送信端局は、
前記受信端局に伝送すべきクライアント信号をＦＥＣフレームに収容し、該ＦＥＣフレームを前記２つの光伝送路に対して同時に送信するマッパ手段を有し、
前記受信端局は、
前記２つの光伝送路の遅延時間を補償するために、前記２つの光伝送路から受信される各々のＦＥＣフレームの遅延量を調節し、出力する第１および第２の可変遅延手段と、
前記第１および第２の可変遅延手段から出力された各々のＦＥＣフレームのいずれかを選択的に切り替え、出力する選択手段と、
前記選択手段から出力されたＦＥＣフレームから前記クライアント信号を抽出するデマッパ手段とを有することを特徴とする無瞬断切替方式。
【請求項２】
前記マッパ手段は、前記ＦＥＣフレームのオーバヘッド領域にフレーム番号を収容し、前記ＦＥＣフレームのペイロード領域に前記クライアント信号を収容し、前記ＦＥＣフレームのＦＥＣ領域に誤り訂正符号を収容する、請求項１に記載の無瞬断切替方式。
【請求項３】
前記第１および第２の可変遅延手段における遅延量は、当該第１および第２の可変遅延手段から出力された各々のＦＥＣフレームのオーバヘッド領域に収容されたフレーム番号を用いて決定される、請求項２に記載の無瞬断切替方式。
【請求項４】
異なる２つの光伝送路に対して信号を送信する送信端局と、前記送信端局により前記２つの光伝送路に送信された信号を受信し、該信号のいずれかを選択的に切り替える受信端局とによる無瞬断切替方法において、
前記送信端局が、前記受信端局に伝送すべきクライアント信号をＦＥＣフレームに収容し、該ＦＥＣフレームを前記２つの光伝送路に対して同時に送信する第１のステップと、
前記受信端局が、前記２つの光伝送路の遅延時間を補償するために、前記２つの光伝送路から受信される各々のＦＥＣフレームの遅延量を調節する第２のステップと、
前記受信端局が、前記第２のステップで遅延量が調整された各々のＦＥＣフレームのいずれかを選択的に切り替える第３のステップと、
前記受信端局が、前記第３のステップで切り替えられたＦＥＣフレームから前記クライアント信号を抽出する第４のステップとを有することを特徴とする無瞬断切替方法。
【請求項５】
前記第１のステップでは、前記送信端局が、前記ＦＥＣフレームのオーバヘッド領域にフレーム番号を収容し、前記ＦＥＣフレームのペイロード領域に前記クライアント信号を収容し、前記ＦＥＣフレームのＦＥＣ領域に誤り訂正符号を収容する、請求項４に記載の無瞬断切替方法。
【請求項６】
前記第２のステップにおける遅延量は、当該第２のステップにて遅延量が調整された各々のＦＥＣフレームのオーバヘッド領域に収容されたフレーム番号を用いて決定される、請求項５に記載の無瞬断切替方法。
【発明の詳細な説明】
【０００１】
【発明の属する技術分野】
本発明は、現用系および予備系の切替を無瞬断で実行するための無瞬断切替方式および無瞬断切替方法に関する。
【０００２】
【従来の技術】
従来、光伝送システムに適用され、現用系および予備系の切替を無瞬断で実行するための各種の無瞬断切替方式が提案されている。
【０００３】
従来の無瞬断切替方式について、図４を参照して説明する。
【０００４】
図４を参照すると、本従来例の無瞬断切替方式は、送信端局１と、受信端局５と、送信端局１と受信端局５とを接続する光伝送路３，４と、を有している。
【０００５】
送信端局１は、分離回路１０２と、オーバヘッド付加回路１０３と、多重化回路１０４とを有している。なお、実際には、オーバヘッド付加回路１０３は、クライアント信号１０のパス単位で複数設けられているが、図４においては、オーバヘッド付加回路１０３が１つのみ図示され、それ以外は省略されている。
【０００６】
分離回路１０２は、クライアント信号１０をパス単位に分離する。分離回路１０２の出力は、パス単位に独立に各オーバヘッド付加回路１０３に送られる。
【０００７】
各オーバヘッド付加回路１０３は、クライアント信号１０のパスオーバヘッドに、フレーム番号を挿入する。
【０００８】
多重化回路１０４は、各オーバヘッド付加回路１０３の出力を再び多重化し、別々の光伝送路３，４に対して同時に送信する。
【０００９】
受信端局５は、分離回路１０５，１０６と、可変遅延回路１０８，１０９および選択回路１１０を具備する遅延調整回路１０７と、多重化回路１１１とを有している。なお、実際には、遅延調整回路１０７は、クライアント信号１０のパス単位で複数設けられているが、図４においては、遅延調整回路１０７が１つのみ図示され、それ以外は省略されている。
【００１０】
分離回路１０５は、光伝送路３から受信した信号をパス単位に分離し、分離回路１０６は、光伝送路４から受信した信号をパス単位に分離する。分離回路１０５，１０６の出力は、パス単位に独立に各遅延調整回路１０７に送られる。
【００１１】
可変遅延回路１０８，１０９の各々は、選択回路１１０に対して同じフレーム番号の出力信号を時間差なく与えられるように、分離回路１０５，１０６の各々の出力信号の遅延量を調節する。
【００１２】
選択回路１１０は、可変遅延回路１０８，１０９の出力のいずれかを選択的に切り替える。
【００１３】
多重化回路１１１は、各遅延調整回路１０７の出力を多重化して出力する。
【００１４】
従来の無瞬断切替方式においては、ＳＤＨ（Ｓｙｎｃｈｒｏｎｏｕｓ　Ｄｉｇｉｔａｌ　Ｈｉｅｒａｒｃｈｙ）のパス単位で無瞬断切替を実行していた。その理由は、ＳＤＨにおいては、運用単位がＶＣ−３やＶＣ−４といったパスの単位であり、セクション切替で無瞬断を実現するよりは、個々のサービス単位に無瞬断切替を実現する方が適切と考えられるからである。さらに、ＳＤＨにおいては、オーバヘッドをクライアントに開放することがあるため、無瞬断切替を実行するためにセクションオーバヘッドを使用することが難しい場合もあるからである。
【００１５】
【発明が解決しようとする課題】
しかしながら、上述したような従来の無瞬断切替方式においては、次のような課題がある。
【００１６】
第１の課題は、クライアント信号のパス単位で無瞬断切替を実行しているため、クライアント信号を一括した無瞬断切替を実行できないということである。
【００１７】
第２の課題は、クライアント信号のパス単位で無瞬断切替を実行する手段を有しているため、回路規模が増加してしまうということである。
【００１８】
本発明の目的は、クライアント信号を一括した無瞬断切替を実行できる無瞬断切替方式および無瞬断切替方法を提供することにある。
【００１９】
【課題を解決するための手段】
上記目的を達成するために本発明の無瞬断切替方式は、
異なる２つの光伝送路に対して信号を送信する送信端局と、前記送信端局により前記２つの光伝送路に送信された信号を受信し、該信号のいずれかを選択的に切り替える受信端局とを有する無瞬断切替方式において、
前記送信端局は、
前記受信端局に伝送すべきクライアント信号をＦＥＣフレームに収容し、該ＦＥＣフレームを前記２つの光伝送路に対して同時に送信するマッパ手段を有し、
前記受信端局は、
前記２つの光伝送路の遅延時間を補償するために、前記２つの光伝送路から受信される各々のＦＥＣフレームの遅延量を調節し、出力する第１および第２の可変遅延手段と、
前記第１および第２の可変遅延手段から出力された各々のＦＥＣフレームのいずれかを選択的に切り替え、出力する選択手段と、
前記選択手段から出力されたＦＥＣフレームから前記クライアント信号を抽出するデマッパ手段とを有することを特徴とするものである。
【００２０】
このように、送信端局が、クライアント信号全体を収容するＦＥＣフレームを２つの光伝送路に送信し、受信端局が、２つの光伝送路から受信した各々のＦＥＣフレームのいずれかを無瞬断で切り替え、そのＦＥＣフレームからクライアント信号を抽出しているため、従来のようにクライアント信号のパス単位で無瞬断切替を実行する方式と比較して、１回の切替動作でクライアント信号全体の無瞬断切替を実行することが可能となる。
【００２１】
この場合、前記マッパ手段は、前記ＦＥＣフレームのオーバヘッド領域にフレーム番号を収容し、前記ＦＥＣフレームのペイロード領域に、前記クライアント信号を収容し、前記ＦＥＣフレームのＦＥＣ領域に誤り訂正符号を収容することとしても良い。
【００２２】
また、前記第１および第２の可変遅延手段における遅延量は、当該第１および第２の可変遅延手段から出力された各々のＦＥＣフレームのオーバヘッド領域に収容されたフレーム番号を用いて決定されることとしても良い。
【００２３】
上記目的を達成するために本発明の無瞬断切替方法は、
異なる２つの光伝送路に対して信号を送信する送信端局と、前記送信端局により前記２つの光伝送路に送信された信号を受信し、該信号のいずれかを選択的に切り替える受信端局とによる無瞬断切替方法において、
前記送信端局が、前記受信端局に伝送すべきクライアント信号をＦＥＣフレームに収容し、該ＦＥＣフレームを前記２つの光伝送路に対して同時に送信する第１のステップと、
前記受信端局が、前記２つの光伝送路の遅延時間を補償するために、前記２つの光伝送路から受信される各々のＦＥＣフレームの遅延量を調節する第２のステップと、
前記受信端局が、前記第２のステップで遅延量が調整された各々のＦＥＣフレームのいずれかを選択的に切り替える第３のステップと、
前記受信端局が、前記第３のステップで切り替えられたＦＥＣフレームから前記クライアント信号を抽出する第４のステップとを有することを特徴とするものである。
【００２４】
この場合、前記第１のステップでは、前記送信端局が、前記ＦＥＣフレームのオーバヘッド領域にフレーム番号を収容し、前記ＦＥＣフレームのペイロード領域に前記クライアント信号を収容し、前記ＦＥＣフレームのＦＥＣ領域に誤り訂正符号を収容することとしても良い。
【００２５】
また、前記第２のステップにおける遅延量は、当該第２のステップにて遅延量が調整された各々のＦＥＣフレームのオーバヘッド領域に収容されたフレーム番号を用いて決定されることとしても良い。
【００２６】
【発明の実施の形態】
以下に、本発明の実施の形態について図面を参照して説明する。
【００２７】
図１を参照すると、本発明の一実施形態による無瞬断切替方式は、マッパ２を具備する送信端局１と、可変遅延回路６，７、選択回路８、およびデマッパ９を具備する受信端局５と、送信端局１と受信端局５とを接続する光伝送路３，４とを有している。
【００２８】
送信端局１のマッパ２は、受信端局５に伝送すべきクライアント信号１０をＦＥＣ（Ｆｏｒｗａｒｄ　Ｅｒｒｏｒ　Ｃｏｎｔｒｏｌ）フレームのペイロード領域に収容する。なお、ＦＥＣは、主に１０Ｇｂｐｓ程度を越えるビットレートで長距離の光伝送を実行するために用いられるものである。
【００２９】
同時に、マッパ２は、ＦＥＣフレームのオーバヘッド領域に、フレーム番号を判別することができる信号を挿入する。
【００３０】
その後、マッパ２は、異なる光伝送路３，４に対して、クライアント信号１０を収容したＦＥＣフレームを同時に送信する。
【００３１】
受信端局５の可変遅延回路６，７の各々は、選択回路８に対して同じフレーム番号のＦＥＣフレームを時間差なく与えられるように、光伝送路３，４から受信される各々のＦＥＣフレームの遅延量を調節する。
【００３２】
選択回路８は、可変遅延回路６，７から出力されたＦＥＣフレームのいずれかを選択的に切り替え、デマッパ９に出力する。
【００３３】
デマッパ９は、選択回路８から出力されたＦＥＣフレームからクライアント信号を抽出して出力する。
【００３４】
図２を参照すると、図１に示した無瞬断切替方式で使用されるＦＥＣフレームの一例が示されている。
【００３５】
図２において、オーバヘッド領域２１はフレーム番号を判別するための各種オーバヘッド信号を収容する領域であり、ペイロード領域２２はクライアント信号を収容する領域であり、ＦＥＣ領域２３は誤り訂正符号を収容する領域である。より具体的には、図２に示したＦＥＣフレームは、例えば、ＩＴＵ−Ｔ勧告Ｇ．７０９で規定されているＯＴＮフレームが該当する。
【００３６】
以上詳細に本実施形態の構成について述べたが、図２に示したＦＥＣフレーム構成そのものは、当業者にとってよく知られており、また本発明とは直接関係しないので、その詳細な説明は省略する。
【００３７】
以下に、図１に示した無瞬断切替方式による無瞬断切替方法について、図３のフローチャートを参照して説明する。
【００３８】
まず、送信端局１では、マッパ２が、クライアント信号１０をＦＥＣフレームのペイロード領域２２に収容する（ステップ３０１）。このとき、ＦＥＣフレームのオーバヘッド領域２１の一部には、例えば、ｍｏｄ２５６のフレーム番号を収容し、ＦＥＣフレームのＦＥＣ領域２３には誤り訂正符号を収容する。その後、マッパ２は、ＦＥＣフレームを別々の光伝送路３，４に対して同時に送信する（ステップ３０２）。
【００３９】
光伝送路３，４は、各々独立した光伝送路であって、その遅延時間は一般に等しいとは限らない。
【００４０】
受信端局５では、可変遅延回路６，７の各々が、光伝送路３，４の各々からＦＥＣフレームを受信し（ステップ３０３）、受信したＦＥＣフレームの遅延時間を互いに時間差がないように調整する（ステップ３０４）。すなわち、光伝送路３，４での遅延時間が一般に等しくないため、それを補償する。具体的には、可変遅延回路６，７は、光伝送路の遅延時間が短い場合には、付加する遅延量を大きくし、逆に光伝送路の遅延時間が長い場合には、付加する遅延量を小さくする。この目的で、ＦＥＣフレームのオーバヘッド領域２１に収容されているフレーム番号が用いられる。すなわち、可変遅延回路６，７の出力のフレーム番号を参照すれば、可変遅延回路６，７のどちらの出力が遅れているか、あるいは進んでいるかを知ることができ、可変遅延回路６，７が付加する遅延時間をどの程度にすれば、各々の出力のＦＥＣフレームに時間差がなくなるかを判断できる。このようにして、可変遅延回路６，７の出力は、時間差がなく全く同一になる。選択回路８は、可変遅延回路６，７の出力のうち片側のみを選択するが（ステップ３０５）、可変遅延回路６，７の出力は時間差がなく全く同一なので、例えば可変遅延回路６の出力を選択している状態から、可変遅延回路７の出力を選択するように切り替えても、そこに誤りが混入することはない。このように、選択回路８を動作させても誤りが混入しないという意味で、この切替は無瞬断である。選択回路８から出力されるＦＥＣフレームはデマッパ９に送られ、ＦＥＣフレームのペイロード領域からクライアント信号が抽出される（ステップ３０６）。
【００４１】
上述したように本実施形態においては、伝送すべきクライアント信号全体を収容するＦＥＣフレームを用いて、送信端局１から異なる光伝送路３，４に送信された同一の信号のいずれかを、受信端局５で無瞬断で切り替えている。
【００４２】
このため、従来のようにクライアント信号のパス単位で無瞬断の切り替えを行う方式と比較して、光伝送路３，４が大容量の回線である場合にも、１回の切替動作でクライアント信号全体を無瞬断で切り替えることができる。
【００４３】
【発明の効果】
本発明は以上説明したように構成されているため、以下に記載するような効果を奏する。
【００４４】
第１の効果は、光伝送路の遅延時間の差を、受信端局の可変遅延手段にて解消しているため、無瞬断切替を実現できることである。
【００４５】
第２の効果は、クライアント信号全体を収容するＦＥＣフレームを切り替えているため、従来のようにクライアント信号のパス単位で順次無瞬断切替を行わずとも、１回の切替動作でクライアント信号全体の切替が完了することである。
【００４６】
第３の効果は、クライアント信号としてＳＤＨ信号を用いる際に、ＳＤＨ信号のオーバヘッドを利用することなく、無瞬断切替を実現できることである。
【図面の簡単な説明】
【図１】本発明の一実施形態による無瞬断切替方式のブロック図である。
【図２】図１に示した無瞬断切替方式で使用されるＦＥＣフレームの一例を示す図である。
【図３】図１に示した無瞬断切替方式による無瞬断切替方法を説明するフローチャートである。
【図４】本従来例の無瞬断切替方式のブロック図である。
【符号の説明】
１　　送信端局
２　　マッパ
３，４　　光伝送路
５　　受信端局
６，７　　可変遅延回路
８　　選択回路
９　　デマッパ
【図１】
2004015172.tif 000003
【図２】
2004015172.tif 000004
【図３】
2004015172.tif 000005
【図４】
2004015172.tif 000006